(57)【要約】【課題】蓄電装置の充電及び放電を自動的に制御することとユーザの要求に対応して蓄電装置の充電及び放電を個別に詳細に制御することが可能な電力供給システムを提供する。【解決手段】電力供給システム１は、蓄電池２１と、蓄電池２１の充放電の動作を制御する充放電制御部２７と、ユーザインタフェースとして表示操作部５ａが設けられ、充放電制御部２７に対して動作指令を送信する第一操作部であるリモコン５と、リモコン５の表示操作部５ａで可能な動作指令よりも詳細な動作指令をリモコン５を介して充放電制御部２７に対して送信することが可能なタブレット端末６と、を備える。【選択図】図１
2014079058.tif 000002
【特許請求の範囲】
【請求項１】
蓄電池と、
前記蓄電池の充放電の動作を制御する充放電制御部と、
ユーザインタフェースを有し、前記充放電制御部に対して動作指令を送信する第一操作部と、
前記第一操作部の前記ユーザインタフェースで可能な動作指令よりも詳細な動作指令を前記第一操作部を介して前記充放電制御部に対して送信することが可能な第二操作部と、
を備えることを特徴とする電力供給システム。
【請求項２】
前記第一操作部は、前記動作指令を設定する資格の前記第二操作部に対する付与が可能であり、
前記第二操作部は、前記動作指令を設定する資格を前記第一操作部から付与されたときに前記蓄電装置に対する前記動作指令を設定することが可能であり、前記動作指令を設定する資格を前記第一操作部から付与されていないときに前記蓄電装置に対する前記動作指令を設定することができないことを特徴とする請求項１に記載の電力供給システム。
【請求項３】
複数の動作モードを備え、
前記第一操作部が送信する前記動作指令により、前記動作モードに基づく充放電の制御が実行され、
前記第二操作部が送信する前記動作指令により、前記動作モードに基づく充放電の制御よりも優先される充放電の制御が実行可能であることを特徴とする請求項１に記載の電力供給システム。
【請求項４】
家庭内負荷の消費電力に関する情報を受信する受信部と、
前記情報を表示する表示部と、を備え、
蓄電池の充放電の動作を制御する充放電制御部に対して動作指令を送信する操作指令部に対して、前記操作指令部のユーザインタフェースで可能な動作指令よりも詳細な前記蓄電池の動作指令を送信することを特徴とする端末装置。
【請求項５】
第一操作部のユーザインタフェースを用いて蓄電池の充放電の動作を制御する充放電制御部に対して動作指令を送信するステップと、
第二操作部を用いて前記第一操作部の前記ユーザインタフェースで可能な動作指令よりも詳細な動作指令を前記第一操作部を介して前記充放電制御部に対して送信するステップと、
を含むことを特徴とする電力供給システムの制御方法。
【発明の詳細な説明】
【技術分野】
【０００１】
本発明は電力供給システムに関する。また、本発明は電力供給システムで用いられる端末装置に関する。また、本発明は電力供給システムの制御方法に関する。
【背景技術】
【０００２】
近年、例えば電気料金が比較的安価な深夜電力を蓄電したり、太陽光発電の余剰電力を蓄電したりするために蓄電装置を備えた電力供給システムが注目されている。このような電力供給システムが特許文献１に開示されている。
【０００３】
特許文献１に記載された従来の電力供給システムは太陽電池と商用電力系統とを連系させて電気エネルギーを消費する負荷に電力を供給するシステムであって、蓄電池を備える。この電力供給システムは商用電力系統から供給される電力が契約電力を超えているときに蓄電池を放電させ、その電力が契約電力以下であるときに蓄電池に充電させる。このような電力供給システムを利用することにより、経済効果の向上を図っている。
【先行技術文献】
【特許文献】
【０００４】
【特許文献１】特開平１０−２０１１２９号公報
【発明の概要】
【発明が解決しようとする課題】
【０００５】
しかしながら、特許文献１に記載された従来の電力供給システムは商用電力系統から供給される電力量に基づいて自動的に蓄電装置を充電させるまたは放電させるものであるので、蓄電装置の充電及び放電を個別に詳細に制御したい場合について配慮がなされていない。近年、家庭で用いられる機器の消費電力を確認できる装置が普及しつつあり、例えば現在の家庭内負荷の消費電力量に基づいて、家庭内負荷に必要な電力に余裕があるときには蓄電装置に充電し、家庭内負荷に対して多くの電力が必要なときには蓄電装置から放電するといった個別の詳細な設定を手動で行いたいというユーザの要求が生じることが想定される。
【０００６】
本発明は、上記の点に鑑みなされたものであり、蓄電池の充電及び放電を自動的に制御することに加えて、ユーザの要求に対応して蓄電池の充電及び放電を個別に詳細に制御することが可能な電力供給システム、端末装置及び電力供給システムの制御方法を提供することを目的とする。
【課題を解決するための手段】
【０００７】
上記の課題を解決するため、本発明の電力供給システムは、蓄電池と、前記蓄電池の充放電の動作を制御する充放電制御部と、ユーザインタフェースを有し、前記充放電制御部に対して動作指令を送信する第一操作部と、前記第一操作部の前記ユーザインタフェースで可能な動作指令よりも詳細な動作指令を前記第一操作部を介して前記充放電制御部に対して送信することが可能な第二操作部と、を備えることを特徴としている。
【０００８】
また、上記構成の電力供給システムにおいて、前記第一操作部は、前記動作指令を設定する資格の前記第二操作部に対する付与が可能であり、前記第二操作部は、前記動作指令を設定する資格を前記第一操作部から付与されたときに前記蓄電装置に対する前記動作指令を設定することが可能であり、前記動作指令を設定する資格を前記第一操作部から付与されていないときに前記蓄電装置に対する前記動作指令を設定することができないことを特徴としている。
【０００９】
また、上記構成の電力供給システムにおいて、複数の動作モードを備え、前記第一操作部が送信する前記動作指令により、前記動作モードに基づく充放電の制御が実行され、前記第二操作部が送信する前記動作指令により、前記動作モードに基づく充放電の制御よりも優先される充放電の制御が実行可能であることを特徴としている。
【００１０】
また、本発明の端末装置は、家庭内負荷の消費電力に関する情報を受信する受信部と、前記情報を表示する表示部と、を備え、蓄電池の充放電の動作を制御する充放電制御部に対して動作指令を送信する操作指令部に対して、前記操作指令部のユーザインタフェースで可能な動作指令よりも詳細な前記蓄電池の動作指令を送信することを特徴としている。
【００１１】
また、本発明の電力供給システムの制御方法は、第一操作部のユーザインタフェースを用いて蓄電池の充放電の動作を制御する充放電制御部に対して動作指令を送信するステップと、第二操作部を用いて前記第一操作部の前記ユーザインタフェースで可能な動作指令よりも詳細な動作指令を前記第一操作部を介して前記充放電制御部に対して送信するステップと、を含むことを特徴としている。
【発明の効果】
【００１２】
本発明の構成によれば、蓄電池の充電及び放電を自動的に制御することに加えて、ユーザの要求に対応して蓄電池の充電及び放電を個別に詳細に制御することが可能な電力供給システム、端末装置及び電力供給システムの制御方法を提供することができる。
【図面の簡単な説明】
【００１３】
【図１】本発明の実施形態の電力供給システムの構成を示すブロック図である。
【図２】本発明の実施形態の電力供給システムのリモコン（第一操作部）を示す説明図である。
【図３】本発明の実施形態の電力供給システムのタブレット端末（第二操作部）を示す説明図である。
【図４】本発明の実施形態の電力供給システムのリモコンとタブレット端末との間における運転モードの設定資格の受け渡しを示すフローチャートである。
【発明を実施するための形態】
【００１４】
以下、本発明の実施形態を図１〜図４に基づき説明する。
【００１５】
最初に、本発明の実施形態に係る電力供給システムについて、図１〜図３を用いてその構造と動作を説明する。図１は電力供給システムの構成を示すブロック図、図２は電力供給システムのリモコン（第一操作部）を示す説明図、図３は電力供給システムのタブレット端末（第二操作部）を示す説明図である。なお、図１では電力線を実線矢印で示し、信号線を破線矢印で示す。
【００１６】
電力供給システム１は電力供給に関して、図１に示すように太陽光エネルギーを利用して発電する太陽光発電装置１０と、電力を蓄えることが可能な蓄電装置２０とを組み合わせたシステムである。電力供給システム１は商用電力系統ＣＳ及び家庭内負荷Ｌに電気的に接続される。電力供給システム１は太陽光発電装置１０及び蓄電装置２０に加えて、第一操作部であるリモコン５（操作指令部）、消費電力測定収集システム３０及び第二操作部であるタブレット端末６（端末装置）を備える。
【００１７】
太陽光発電装置１０は太陽電池１１と太陽電池パワーコンディショナー１２とを備える。太陽電池１１は太陽光エネルギーを利用して発電する光電変換装置であり、直射日光を受けることができるよう屋外に設置される。太陽電池１１から延びる出力線は太陽電池パワーコンディショナー１２及び後述する蓄電池パワーコンディショナー２２に電気的に接続される。
【００１８】
太陽電池パワーコンディショナー１２は太陽電池１１と電気的に接続されるとともに太陽電池１１から出力される電力の制御を行い、発電した電力を家庭内負荷Ｌ或いは商用電力系統ＣＳへと供給する。太陽電池パワーコンディショナー１２はＤＣ／ＤＣ変換部１３、ＤＣ／ＡＣ変換部１４、連系リレー１５、発電制御部１６及び記憶部１７を備える。
【００１９】
ＤＣ／ＤＣ変換部１３は入力側が太陽電池１１と電気的に接続され、出力側がＤＣ／ＡＣ変換部１４と電気的に接続される。ＤＣ／ＤＣ変換部１３は太陽電池１１の最大のエネルギーを得ることができるように発電電力ポイントを制御する機能を備える。この制御は一般にＭＰＰＴ（Maximum  Power  Point  Tracking）制御と呼ばれる。
【００２０】
ＤＣ／ＡＣ変換部１４は入力側がＤＣ／ＤＣ変換部１３と電気的に接続され、出力側が連系リレー１５を介して家庭内負荷Ｌ或いは商用電力系統ＣＳと電気的に接続されている。ＤＣ／ＡＣ変換部１４はＤＣ／ＤＣ変換部１３から得られた直流の電気を交流の電気に変換する機能を備え、インバータとも呼ばれる。
【００２１】
連系リレー１５は家庭内負荷Ｌまたは商用電力系統ＣＳに対する太陽電池パワーコンディショナー１２の出力部に配置される。連系リレー１５は太陽電池パワーコンディショナー１２と家庭内負荷Ｌまたは商用電力系統ＣＳとの間の電路の接続、切断を切り替える。
【００２２】
発電制御部１６はＤＣ／ＤＣ変換部１３、ＤＣ／ＡＣ変換部１４及び連系リレー１５と信号線によって接続されてこれら各構成要素の状態を表す情報を得る。そして、発電制御部１６はリモコン５から送信される動作指令等を受信して記憶部１７等に予め記憶されたプログラムやデータに基づきこれら各構成要素の動作を制御し、一連の太陽光発電運転を実現する。
【００２３】
蓄電装置２０は蓄電池２１と蓄電池パワーコンディショナー２２とを備える。蓄電池２１は化学反応を用いて電気の蓄積、放出が可能な電池であり、例えばリチウムイオン二次電池やニッケル・カドミウム蓄電池、鉛蓄電池などで構成される。蓄電池２１から延びる電力線は蓄電池パワーコンディショナー２２に電気的に接続される。
【００２４】
蓄電池パワーコンディショナー２２は蓄電池２１及び太陽電池１１と電気的に接続されるとともに蓄電池２１に対する充放電制御を行い、放電した電力を家庭内負荷Ｌへと供給する。蓄電池２１に対する充電は太陽電池１１若しくは商用電力系統ＣＳから行われる。蓄電池パワーコンディショナー２２はＤＣ／ＤＣ変換部２３、ＤＣ／ＡＣ変換部２４、ＤＣ／ＤＣ変換部２５、連系リレー２６、充放電制御部２７及び記憶部２８を備える。ＤＣ／ＤＣ変換部２３、ＤＣ／ＡＣ変換部２４及びＤＣ／ＤＣ変換部２５は基本的構成が先に説明したＤＣ／ＤＣ変換部１３及びＤＣ／ＡＣ変換部１４と同じであるので、ここでは詳細な説明を省略する。
【００２５】
連系リレー２６は家庭内負荷Ｌまたは商用電力系統ＣＳに対する蓄電池パワーコンディショナー２２の入出力部に配置される。連系リレー２６は蓄電池パワーコンディショナー２２と家庭内負荷Ｌまたは商用電力系統ＣＳとの間の電路の接続、切断を切り替える。
【００２６】
充放電制御部２７はＤＣ／ＤＣ変換部２３、ＤＣ／ＡＣ変換部２４、ＤＣ／ＤＣ変換部２５及び連系リレー２６と信号線によって接続されてこれら各構成要素の状態を表す情報を得る。そして、充放電制御部２７はリモコン５から送信される動作指令等を受信して記憶部２８等に予め記憶されたプログラムやデータに基づきこれら各構成要素の動作を制御し、蓄電池２１に対する一連の充放電動作を実現する。
【００２７】
リモコン５は室内の壁面などに取り付けられ、有線或いは無線により電力供給システム１を遠隔操作するための装置である。リモコン５はユーザが操作可能なユーザインタフェースとして表示操作部５ａを有する。リモコン５は電力供給システム１の運転モードや動作指令などを送受信して発電制御部１６や充放電制御部２７に対して指示、操作及び設定したり、電力供給システム１の運転情報を表示操作部５ａに表示したりする。
【００２８】
消費電力測定収集システム３０は消費電力測定装置３１、消費電力データ収集装置３２及びルーター３３を備える。
【００２９】
ここで、家庭内負荷Ｌは住宅などでユーザが使用している冷蔵庫Ｌ１、エアコンＬ２、洗濯機Ｌ３などといった家庭用の電化機器である。家庭内負荷Ｌは各々電源プラグＬｐを備え、これを住宅に備え付けの差込口（電源コンセント、図示せず）に接続することにより商用電力系統ＣＳ、太陽光発電装置１０または蓄電装置２０から電力の供給を受けて稼働する。
【００３０】
消費電力測定装置３１は家庭内負荷Ｌ各々の電源プラグＬｐと電源コンセントとの間に設置される。消費電力測定装置３１は電気工事に関する免許を必要とすることなく簡単に設置することができる。消費電力測定装置３１は家庭内負荷Ｌ各々の消費電力を電源プラグＬｐを介して逐一測定することが可能な機能を有する。消費電力測定装置３１には例えばＬＥＤランプが設けられ、ＬＥＤランプの点灯によりその運転状態が確認できるようになっている。消費電力測定装置３１は測定した家庭内負荷Ｌの消費電力データを無線通信若しくは有線通信にて消費電力データ収集装置３２に送信する。
【００３１】
消費電力データ収集装置３２は消費電力測定装置３１から家庭内負荷Ｌ各々の消費電力データを受信して収集、蓄積する。消費電力データ収集装置３２は消費電力測定装置３１とネットワークを構築し、ネットワークを構築する消費電力測定装置３１の数を増減することができる。消費電力データ収集装置３２が収集した消費電力データはルーター３３を介してタブレット端末６に送信される。
【００３２】
ルーター３３はコンピュータネットワークにおいて２つのネットワーク間を相互接続する通信デバイスである。ルーター３３は消費電力データ収集装置３２が収集した消費電力データを無線通信若しくは有線通信にてタブレット端末６に送信する。
【００３３】
なお、本実施形態では消費電力測定収集システム３０の消費電力測定装置３１、消費電力データ収集装置３２及びルーター３３が各々別個の装置であることとしたが、この形態に限定されるわけではない。消費電力測定装置３１、消費電力データ収集装置３２及びルーター３３はいずれか複数が一体として構成されている、或いはすべてが一体として構成されていても良い。
【００３４】
タブレット端末６は液晶表示装置などで構成された表示操作部６ａ（表示部）を有し、卓上や壁面に立て掛けて備え付けたり、ユーザが手に取って操作したりすることが可能である。タブレット端末６は予めインストールされたアプリケーションソフトを起動することにより、消費電力データ収集装置３２が送信した家庭内負荷Ｌ各々の消費電力データをルーター３３を介して受信部６ｂで受信し、表示操作部６ａに表示する。
【００３５】
さらに、タブレット端末６はリモコン５を介して信号を発電制御部１６や充放電制御部２７に対して送受信することにより、電力供給システム１の運転モードや動作指令などを指示、操作及び設定したり、電力供給システム１の運転情報を表示操作部６ａに表示したりする。
【００３６】
上記構成の電力供給システム１において、夜間や日中の日照量が低下して太陽電池１１が発電していない場合、電力供給システム１は商用電力系統ＣＳからの受電電力を家庭内負荷Ｌに供給する。このとき、発電制御部１６は太陽電池パワーコンディショナー１２を動作停止状態にし、商用電力系統ＣＳから家庭内負荷Ｌに電力が供給されるようにする。また、充放電制御部２７は蓄電池パワーコンディショナー２２を稼働させ、商用電力系統ＣＳから深夜電力を蓄電池２１に蓄電したり、蓄電池２１に蓄えた電力を家庭内負荷Ｌに供給したりすることもある。
【００３７】
日照量が十分な日中など太陽電池１１が発電可能である場合、電力供給システム１は太陽電池１１が発電した電力を家庭内負荷Ｌに供給する。このとき、発電制御部１６は太陽電池パワーコンディショナー１２を稼働させ、太陽光発電装置１０及び商用電力系統ＣＳから家庭内負荷Ｌに電力が供給されるように連系リレー１５を接続状態にする。
【００３８】
太陽電池１１が家庭内負荷Ｌの需要電力に対して十分な電力を発電している場合、電力供給システム１は太陽電池１１が発電した余剰電力を商用電力系統ＣＳに対して逆潮流する。このとき、発電制御部１６は太陽光発電装置１０から家庭内負荷Ｌ及び商用電力系統ＣＳに電力が供給されるように連系リレー１５を接続状態にする。そして、太陽電池１１の発電電力のみが商用電力系統ＣＳに対して逆潮流され、蓄電池２１に蓄えた電力が商用電力系統ＣＳに供給されないように、充放電制御部２７は連系リレー２６を切断状態にする。
【００３９】
蓄電池２１が満充電ではなく且つ蓄電池２１の充電量を増加させる場合、電力供給システム１は太陽電池１１の発電電力若しくは商用電力系統ＣＳからの受電電力を蓄電池２１に蓄える。このとき、充放電制御部２７は蓄電池パワーコンディショナー２２を稼働させ、太陽光発電装置１０若しくは得られる電力が蓄電池２１に蓄電されるよう制御する。
【００４０】
電力供給システム１は商用電力系統ＣＳや太陽光発電装置１０、蓄電装置２０から得られる電力の配電や、蓄電池２１に対する充電及び放電などがプログラムされた複数の自動運転モードを備える。自動運転モードとしては、例えば経済性自動運転モードや充電優先運転モード、クリーン運転モードなどと呼ばれる運転モード（動作モード）を備える。
【００４１】
経済性自動運転モードでは電気料金が比較的安価な深夜電力を蓄電池２１に蓄電し、日中は商用電力系統ＣＳからの買電よりも太陽電池１１の発電電力と蓄電池２１の充電電力とを優先的に家庭内負荷Ｌに供給する。充電優先運転モードでは即座に満充電に向けて蓄電池２１への充電を開始し、蓄電池２１が満充電に達するとその状態で待機する。なお、待機状態になってから２４時間後には経済性自動運転モードに移行する。クリーン運転モードでは日中、太陽電池１１の発電量が家庭内負荷Ｌの消費電力量よりも多い場合に蓄電池２１への充電を行い、家庭内負荷Ｌの消費電力量が太陽電池１１の発電量よりも多い場合に蓄電池２１からの放電を行う。
【００４２】
これらの自動運転モードの動作指令の発電制御部１６または充放電制御部２７への送信はリモコン５及びタブレット端末６で実行することができる。リモコン５の表示操作部５ａ及びタブレット端末６の表示操作部６ａには、例えば図２及び図３に示すように自動運転モードの操作画面が表示され、タッチパネルにより操作することができる。
【００４３】
各々の操作画面では自動運転モードの操作キー５ｂ、６ｃのほかに、自動運転モードの動作指令の設定資格の授受に係る操作キー５ｃ、６ｄも表示され、操作することが可能である。
【００４４】
リモコン５の操作キー５ｃによれば、自動運転モードの動作指令を送信して設定する資格のタブレット端末６に対する付与及び取得を行うことが可能である。リモコン５は動作指令の設定資格のタブレット端末６に対する付与及び取得を逐次行うことが可能である。
【００４５】
タブレット端末６の操作キー６ｄによれば、自動運転モードの動作指令を送信して設定する資格のリモコン５からの受取及び返却を行うことが可能である。タブレット端末６は動作指令を送信して設定する資格をリモコン５から付与されたときに操作キー６ｃ等を用いた自動運転モードや蓄電装置２０の動作指令をリモコン５を介して送信して設定することが可能であり、動作指令を送信して設定する資格をリモコン５から付与されていないときに操作キー６ｃ等を用いた自動運転モードや蓄電装置２０の動作指令を送信して設定することができない。
【００４６】
なお、タブレット端末６に限定して、蓄電装置２０の蓄電池２１に対する充電及び放電の個別の動作指令の設定が可能な操作キー６ｅが設けられる。タブレット端末６を使用すれば、リモコン５の表示操作部５ａで可能な動作指令よりも詳細な動作指令である蓄電池２１に対する充電及び放電を優先的に手動で設定することができる。
【００４７】
これにより、ユーザが消費電力測定収集システム３０で得られる家庭内負荷Ｌの消費電力データ等を考慮して、意図的なタイミングで蓄電池２１の充電、放電を行ったり、蓄電池２１の充電量や放電量の設定値を定めたりすることができる。さらに、太陽光発電の発電量などと連携して設定するようにしても良い。
【００４８】
このような電力供給システム１のリモコン５とタブレット端末６との間における運転モードの設定資格の受け渡しについて、図４に示す動作フローに沿って説明する。図４は電力供給システム１のリモコン５とタブレット端末６との間における運転モードの設定資格の受け渡しを示すフローチャートである。
【００４９】
電力供給システム１はその運転が開始されると（図４のスタート）、初期段階において発電制御部１６または充放電制御部２７へのリモコン５による運転モードの送信、設定を可能とし、タブレット端末６による運転モード等の送信、設定を不可とする（図４のステップ＃１０１）。
【００５０】
次に、リモコン５はユーザによる操作キー５ｃの操作により、発電制御部１６または充放電制御部２７への運転モード等の設定資格がタブレット端末６に付与されたか否かを判定する（ステップ＃１０２）。リモコン５からタブレット端末６に運転モード等の設定資格がタブレット端末６に付与されていない場合（ステップ＃１０２のＮｏ）、引き続きリモコン５から電力供給システム１の運転モードの設定を実行できるようにする。
【００５１】
リモコン５からタブレット端末６に運転モード等の設定資格が付与された場合（ステップ＃１０２のＹｅｓ）、リモコン５は自身を用いたユーザによる発電制御部１６または充放電制御部２７への運転モードの設定変更の受け付けを不可とし、タブレット端末６による運転モード等の送信、設定を可能とする（ステップ＃１０３）。
【００５２】
次に、リモコン５はユーザによる操作キー５ｃの操作により、発電制御部１６または充放電制御部２７への運転モード等の設定資格をタブレット端末６から取得したか否かを判定する（ステップ＃１０４）。リモコン５がタブレット端末６から運転モード等の設定資格を取得していない場合（ステップ＃１０４のＮｏ）、リモコン５はユーザによるタブレット端末６の操作キー６ｄの操作により、運転モード等の設定資格がリモコン５に返却されたか否かを判定する（ステップ＃１０５）。タブレット端末６がリモコン５に運転モード等の設定資格を返却していない場合（ステップ＃１０５のＮｏ）、引き続きタブレット端末６から電力供給システム１の運転モードの送信、設定を実行できるようにしつつ、ステップ＃１０４に戻る。
【００５３】
一方、ステップ＃１０４においてリモコン５がタブレット端末６から運転モード等の設定資格を取得した場合（ステップ＃１０４のＹｅｓ）、或いはステップ＃１０５においてタブレット端末６がリモコン５に運転モード等の設定資格を返却した場合（ステップ＃１０５のＹｅｓ）、ステップ＃１０１に戻り、リモコン５は自身による運転モードの送信、設定を可能とし、タブレット端末６による運転モード等の送信、設定を不可とする。
【００５４】
なお、上記のように、リモコン５が運転モード等の設定資格等をタブレット端末６に付与若しくは取得する代わりに、自動運転モードの一つとしてタブレット端末６等の外部端末による動作指令を受け付ける外部端末動作モードを備えても良い。外部端末動作モードに設定された場合、タブレット端末６による動作指令はリモコン５を介して充放電制御部２７に伝えられる。
【００５５】
リモコン５はいつでも運転モードを外部端末動作モード以外のモードに切り替えることが可能であり、リモコン５を操作して他のモードに切り替えた場合にはタブレット端末６による動作指令はできなくなる。なお、リモコン５のモード切り替えによりタブレット端末６で動作指令ができなくなった場合、その旨がタブレット端末６に表示されるようにしても良い。
【００５６】
上記のように、電力供給システム１は蓄電池２１と、蓄電池２１に対する充放電の動作を制御する充放電制御部２７と、表示操作部５ａを有し、充放電制御部２７に対して動作指令を送信して設定する第一操作部であるリモコン５と、リモコン５の表示操作部５ａで可能な動作指令よりも詳細な動作指令をリモコン５を介して充放電制御部２７に対して送信して設定することが可能な第二操作部であるタブレット端末６と、を備える。蓄電池２１に対する充電及び放電の個別の動作指令はリモコン５の表示操作部５ａでは指示できないので、それらの設定はタブレット端末６に限定される。すなわち、蓄電池２１の充電及び放電の詳細な制御はタブレット端末６を用いてのみ実行することができる。したがって、蓄電池２１に対する詳細な動作指令はいずれの操作部からも容易に設定できるわけではなく、タブレット端末６を用いてのみ送信して設定できるようにすることが可能になる。
【００５７】
また、リモコン５は、自動運転モードの動作指令を設定する資格のタブレット端末６に対する付与及び取得が可能であり、タブレット端末６は、動作指令の設定資格をリモコン５から付与されたときに蓄電池２１に対する動作指令を設定することが可能であり、動作指令の設定資格をリモコン５から付与されていないときに蓄電池２１に対する動作指令を設定することができない。これにより、蓄電池２１に対する充電及び放電の個別の動作指令の設定はその資格をタブレット端末６がリモコン５から取得したときのみ実行することができる。したがって、蓄電池２１に対する詳細な動作指令の設定の機会を限定的にすることができる。また、リモコン５は蓄電池２１に対する動作指令の設定資格をタブレット端末６から逐次取得できるので、タブレット端末６による動作指令の送信、設定を制限することも可能である。
【００５８】
また、電力供給システム１は複数の運転モードを備え、リモコン５が送信する動作指令により運転モードに基づく蓄電池２１に対する充放電の制御が実行され、タブレット端末６が送信する動作指令により運転モードに基づく蓄電池２１に対する充放電の制御よりも優先される充放電の制御が実行可能である。したがって、蓄電池２１に対する詳細な動作指令の設定の機会を限定的にすることができる。
【００５９】
また、タブレット端末６は家庭内負荷Ｌの消費電力に関する情報を受信する受信部６ｂと、前記情報を表示する表示操作部６ａと、を備え、蓄電池２１の充放電の動作を制御する充放電制御部２７に対して動作指令を送信するリモコン５に対して、リモコン５の表示操作部５ａで可能な動作指令よりも詳細な蓄電池２１の動作指令を送信する。これにより、蓄電池２１の充電及び放電の詳細な制御はタブレット端末６を用いてのみ実行することができる。したがって、蓄電池２１に対する詳細な動作指令はいずれの操作部からも容易に設定できるわけではなく、タブレット端末６を用いてのみ送信して設定できるようにすることが可能になる。
【００６０】
また、電力供給システム１は、家庭内負荷Ｌの消費電力を測定してその消費電力データを収集する消費電力測定収集システム３０を備えるとともに、タブレット端末６が、消費電力測定収集システム３０から消費電力データを取得して表示する。これにより、電力供給システム１は家庭内負荷Ｌの消費電力データを、消費電力測定収集システム３０を利用して測定、収集する。そして、タブレット端末６を用いて家庭内負荷Ｌの消費電力データをユーザに提供することができる。したがって、ユーザはタブレット端末６から得られる家庭内負荷Ｌの消費電力データに基づいて蓄電池２１に対する充電及び放電の個別の動作指令の設定を適宜任意に実行することが可能である。
【００６１】
そして、消費電力測定収集システム３０は、家庭内負荷Ｌの電源プラグＬｐの差込口に設置した家庭内負荷Ｌの消費電力を測定する消費電力測定装置３１と、消費電力測定装置３１から消費電力データを受信して収集する消費電力データ収集装置３２と、を含むので、家庭内負荷Ｌの電源プラグＬｐを差込口に差し込むだけで容易に消費電力を測定することができ、消費電力データを収集することが可能である。
【００６２】
また、電力供給システム１は太陽光発電装置１０を備えるので、太陽電池１１が発電する電力を家庭内負荷Ｌに供給したり、蓄電池２１に蓄えたりすることができる。したがって、太陽光発電装置１０を備える電力供給システム１において、リモコン５及びタブレット端末６の双方から蓄電装置２０を自動運転モードで動作させることができ、蓄電池２１に対する充電及び放電の個別の動作指令の設定をタブレット端末６に限定させることが可能である。
【００６３】
さらに、電力供給システム１の制御方法において、リモコン５の表示操作部５ａを用いて蓄電池２１の充放電の動作を制御する充放電制御部２７に対して動作指令を送信して設定するステップと、タブレット端末６を用いてリモコン５の表示操作部５ａで可能な動作指令よりも詳細な動作指令をリモコン５を介して充放電制御部２７に対して送信して設定するステップと、を含む。これにより、蓄電池２１に対する詳細な動作指令はいずれの操作部からも容易に設定できるわけではなく、タブレット端末６を用いてのみ送信して設定できるようにすることが可能になる。
【００６４】
このようにして、本発明の上記実施形態の構成によれば、蓄電池２１の充電及び放電を自動的に制御することに加えて、ユーザの要求に対応して蓄電池２１の充電及び放電を個別に詳細に制御することが可能な電力供給システム１、端末装置であるタブレット端末６及び電力供給システム１の制御方法を提供することができる。
【００６５】
以上、本発明の実施形態につき説明したが、本発明の範囲はこれに限定されるものではなく、発明の主旨を逸脱しない範囲で種々の変更を加えて実施することができる。
【００６６】
例えば、上記実施形態では、リモコン５が蓄電池パワーコンディショナー２２に対して制御を行う資格を管理することにしているが、この目的はリモコン５とタブレット端末６により異なる操作指令が同時に送信されることを防止するためである。したがって、リモコン５が優先であることに限定されるわけではなく、タブレット端末６がリモコン５より優先して制御を行う資格の管理を行うようにしても良い。
【００６７】
さらに、制御を行う資格を複数の操作端末で受け渡しできるようにし、資格を保持する操作端末からの操作指令の送信を優先するようにしても良い。操作端末が３台以上の場合には制御を行う資格の優先権に順位をつけるようにしても良い。
【００６８】
また、本発明の実施形態において、各自動運転モードの制御パターンは発電制御部１６、充放電制御部２７、リモコン５、タブレット端末６のいずれが保持していても良い。例えば、充放電制御部２７が各運転モードの制御パターンを保持する場合、リモコン５から運転モードを選択する操作指令を充放電制御部２７に送信すれば良い。これにより、充放電制御部２７が運転モードに基づく蓄電池２１の充放電の制御を実行し、電力供給システム１は選択された運転モードで動作する。また例えば、リモコン５が各運転モードの制御パターンを保持する場合、リモコン５から運転モードの制御パターンに基づく充放電に関する操作指令を発電制御部１６や充放電制御部２７に送信すれば良い。これにより、リモコン５が運転モードに基づいて制御した蓄電池２１の充放電に係る指令を発電制御部１６や充放電制御部２７が実行して、電力供給システム１は選択された運転モードで動作する。
【００６９】
また、上記実施形態では、家庭内負荷Ｌとして冷蔵庫Ｌ１、エアコンＬ２、洗濯機Ｌ３を例に掲げて電力供給システム１について説明したが、家庭内負荷Ｌはこれらの家庭用の電化機器に限定されるわけでなく、例えばテレビや照明、電子レンジ、炊飯器、掃除機、空気清浄機などといった他の機器であっても良い。
【産業上の利用可能性】
【００７０】
本発明は蓄電装置を備える電力供給システムにおいて利用可能である。
【符号の説明】
【００７１】
１    電力供給システム
５    リモコン（第一操作部、操作指令部）
５ａ    表示操作部（ユーザインタフェース）
６    タブレット端末（第二操作部、端末装置）
６ａ    表示操作部（表示部）
６ｂ    受信部
１０    太陽光発電装置
１１    太陽電池
１２    太陽電池パワーコンディショナー
１６    発電制御部
２０    蓄電装置
２１    蓄電池
２２    蓄電池パワーコンディショナー
２７    充放電制御部
３０    消費電力測定収集システム
３１    消費電力測定装置
３２    消費電力データ収集装置
３３    ルーター
【図１】
2014079058.tif 000003
【図２】
2014079058.tif 000004
【図３】
2014079058.tif 000005
【図４】
2014079058.tif 000006